(57)【要約】【課題】例えば、火力発電設備におけるガスタービン用の上下二分割された円錐形状のダクトの下半部ダクトをローターに据え付ける場合において、下半部ダクトを床に仮置きすることなく、吊り上げたままの状態で容易かつ確実にローターに据え付けることができる吊り天秤を提供する。【解決手段】クレーン２に吊り下げられる天秤棒１と、天秤棒１の一端に取り付けられた第１滑車３と、天秤棒１の他端に取り付けられた第２滑車４と、第１滑車３と第２滑車４とに掛けられた、一端に吊り具６が取り付けられ、他端に第１チェーンブロック７が掛けられた第１ワイヤーロープ５と、一端が天秤棒１の長手方向中央部に掛けられ、他端が吊り具６に掛けられた第２ワイヤーロープ８とを備え、吊り荷は、吊り具６に掛けられた第３ワイヤーロープ９と、第１チェーンブロック７に掛けられた第４ワイヤーロープ１０とによって吊り下げられる。【選択図】図１
2019177965.tif 000002
【特許請求の範囲】
【請求項１】
クレーンに吊り下げられる天秤棒と、前記天秤棒の一端に取り付けられた第１滑車と、前記天秤棒の他端に取り付けられた第２滑車と、前記第１滑車と前記第２滑車とに掛けられた、一端に吊り具が取り付けられ、他端に第１チェーンブロックが掛けられた第１ワイヤーロープと、一端が前記天秤棒の長手方向中央部に掛けられ、他端が前記吊り具に掛けられた第２ワイヤーロープとを備え、吊り荷は、前記吊り具に掛けられた第３ワイヤーロープと、前記第１チェーンブロックに掛けられた第４ワイヤーロープとによって吊り下げられることを特徴とする吊り天秤。
【請求項２】
請求項１に記載の発明において、前記第２ワイヤーロープには、第２チェーンブロックが掛けられていることを特徴とする、請求項１に記載の吊り天秤。
【請求項３】
前記吊り荷は、火力発電設備におけるガスタービン用の上下二分割された円錐形状のダクトの下半部ダクトであることを特徴とする、請求項１または２に記載の吊り天秤。
【発明の詳細な説明】
【技術分野】
【０００１】
この発明は、吊り天秤、特に、例えば、火力発電設備におけるガスタービン用の上下二分割された円錐形状のダクトの下半部ダクトをローターに据え付ける場合において、下半部ダクトを床に仮置きすることなく、吊り上げたままの状態で容易かつ確実にローターに据え付けることができる吊り天秤に関するものである。
【背景技術】
【０００２】
吊り天秤は、作業現場において吊り荷をクレーンにより吊り上げる際に広く使用されている。
【０００３】
特許文献１には、吊り天秤の一例が開示されている。以下、この吊り天秤を従来天秤といい、図面を参照しながら説明する。
【０００４】
図１１は、従来天秤を示す正面図である。
【０００５】
図１１に示すように、従来天秤は、クレーンのフック２１に、両端に滑車２２、２３を取り付けた天秤棒２４を吊り下げ、天秤棒２４の中央部にワイヤーロープ２５によってバランスウエイト２６をシャックル２７を介して吊り下げ、一端をシャックル２７に取り付けたワイヤーロープ２８の他端に滑車２２、２３を介して吊り荷２９を吊り下げるものである。
【０００６】
従来天秤によれば、クレーンにより天秤棒２４を吊り上げると、バランスウエイト２６と吊り荷２９との重量がバランスするまで、吊り荷２９は、下降し、バランスウエイト２６は、図中矢印で示すように滑車２３方向に移動する。この結果、吊り荷２９が、例えば、壁部材である場合には、上階の鉄骨や足場があっても壁部材をクレーンにより吊り上げてビルの側面に取り付けることができる。
【０００７】
しかも、吊り荷２９を天秤棒２４から取り外した場合には、バランスウエイト２６は、天秤棒２４の中央部まで移動するので、天秤棒２４は、水平を維持する。この結果、安全上の問題は、生じない。しかも、フック２１の位置は、移動しないので、次の壁部材の取り付け作業およびクレーンの操作にも支障を来たさない。
【先行技術文献】
【特許文献】
【０００８】
【特許文献１】特開平９−３１５７６０号公報
【発明の概要】
【発明が解決しようとする課題】
【０００９】
上述したように、従来天秤によれば、吊り荷２９を天秤棒２４から取り外した後でも、天秤棒２４は、水平を維持するので、安全上の問題は生じない。しかも、フック２１の位置は、移動しないので、次の壁部材の取り付け作業およびクレーンの操作にも支障を来たさない。
【００１０】
しかしながら、従来天秤は、吊り荷２９をバランスウエイト２６とバランスさせて吊り上げるものであるので、例えば、火力発電設備におけるガスタービン用の上下二分割された円錐形状のダクトの下半部ダクトをローターに据え付けるような場合には、使用が困難である。
【００１１】
何故なら、下半部ダクトをローターに据え付けるには、下半部のダクトをローターに据え付けた後、上半部のダクトを据え付けるが、下半部のダクトをローターに据え付けるには、下半部のダクトを床に仮置きする工程が必要である。
【００１２】
しかしながら、下半部のダクトの形状から下半部のダクトを床に仮置きすることが困難である。このために、下半部のダクトを吊り上げたままの状態でローターに据え付ける必要があるが、従来天秤では、これが行なえない。
【００１３】
従って、この発明の目的は、例えば、火力発電設備におけるガスタービン用の上下二分割された円錐形状のダクトの下半部ダクトをローターに据え付ける場合において、下半部ダクトを床に仮置きすることなく、吊り上げたままの状態で容易かつ確実にローターに据え付けることができる吊り天秤を提供することにある。
【課題を解決するための手段】
【００１４】
この発明は、上記目的を達成するためになされたものであって、下記を特徴とするものである。
【００１５】
請求項１に記載の発明は、クレーンに吊り下げられる天秤棒と、前記天秤棒の一端に取り付けられた第１滑車と、前記天秤棒の他端に取り付けられた第２滑車と、前記第１滑車と前記第２滑車とに掛けられた、一端に吊り具が取り付けられ、他端に第１チェーンブロックが掛けられた第１ワイヤーロープと、一端が前記天秤棒の長手方向中央部に掛けられ、他端が前記吊り具に掛けられた第２ワイヤーロープとを備え、吊り荷は、前記吊り具に掛けられた第３ワイヤーロープと、前記第１チェーンブロックに掛けられた第４ワイヤーロープとによって吊り下げられることに特徴を有するものである。
【００１６】
請求項２に記載の発明は、請求項１に記載の発明において、前記第２ワイヤーロープには、第２チェーンブロックが掛けられていることに特徴を有するものである。
【００１７】
請求項３に記載の発明は、請求項１または２に記載の発明において、前記吊り荷は、火力発電設備におけるガスタービン用の上下二分割された円錐形状のダクトの下半部ダクトであることに特徴を有するものである。
【発明の効果】
【００１８】
この発明によれば、例えば、火力発電設備におけるガスタービン用の上下二分割された円錐形状のダクトの下半部ダクトを床に仮置きすることなく、吊り上げたままの状態で容易かつ確実にローターに据え付けることができる。
【図面の簡単な説明】
【００１９】
【図１】この発明の吊り天秤を示す正面図である。
【図２】この発明の吊り天秤により下半部ダクトを吊り上げた状態を示す側面図である。
【図３】この発明の吊り天秤により下半部ダクトを吊り上げた状態を示す正面図である。
【図４】この発明の吊り天秤の第１チェーンブロックを伸ばして、第１チェーンブロック側の下半部ダクトを下降させた状態を示す正面図である。
【図５】この発明の吊り天秤の第１チェーンブロックをさらに伸ばして、第１チェーンブロック側の下半部ダクトをさらに下降させた状態を示す正面図である。
【図６】この発明の吊り天秤の第１チェーンブロックを外した状態を示す正面図である。
【図７】この発明の吊り天秤により下半部ダクトをローターの下方まで移動させた後、下半部ダクトに第１チェーンブロックを掛けた状態を示す正面図である。
【図８】この発明の吊り天秤の第１チェーンブロックを縮めて第１チェーンブロック側の下半部ダクトを上昇させた状態を示す正面図である。
【図９】この発明の吊り天秤の第１チェーンブロックを縮めて第１チェーンブロック側の下半部ダクトを上昇させて、下半部ダクトの姿勢をローターの下方において水平にした状態を示す正面図である。
【図１０】この発明の吊り天秤により吊り上げた下半部ダクトをローターに据え付ける状態を示す側面図である。
【図１１】従来天秤を示す正面図である。
【発明を実施するための形態】
【００２０】
この発明の吊り天秤の一実施態様を、図面を参照しながら説明する。
【００２１】
図１は、この発明の吊り天秤を示す正面図である。
【００２２】
図１において、１は、クレーン２に吊り下げられた天秤棒、３は、天秤棒１の一端に取り付けられた第１滑車、４は、天秤棒１の他端に取り付けられた第２滑車、５は、第１滑車３と第２滑車４とに掛けられた第１ワイヤーロープである。第１ワイヤーロープ５の一端には、吊り具６が取り付けられ、他端には、第１チェーンブロック７が掛けられている。８は、一端が天秤棒１の長手方向中央部に掛けられ、他端が吊り具６に掛けられた第２ワイヤーロープ、９は、吊り具６に掛けられた第３ワイヤーロープ、１０は、第１チェーンブロック７に掛けられた第４ワイヤーロープである。
【００２３】
なお、この例では、第２ワイヤーロープ８は、第２チェーンブロック１１を介して吊り具６に掛けられているが、第２チェーンブロック１１は、必ずしも必要ではない。
【００２４】
次に、この発明の吊り天秤を使用して、火力発電設備におけるガスタービン用の上下二分割された円錐形状のダクトの下半部ダクトをローターに据え付ける場合を例にあげて説明する。
【００２５】
なお、この発明の吊り天秤により吊り上げる吊り荷としては、上記下半部ダクトに限定されない。
【００２６】
先ず、図２および図３に示すように、下半部ダクト１２を第３ワイヤーロープ９と第４ワイヤーロープ１０とによって吊り上げる。この際、下半部ダクト１２の姿勢を水平にするために、吊り具６側の下半部ダクト１２を第５ワイヤーロープ１３により吊り上げ、第１チェーンブロック７側の下半部ダクト１２を第６ワイヤーロープ１４により吊り上げる。なお、第５ワイヤーロープ１３および第６ワイヤーロープ１４にチェーンブロックを取り付けることによって、下半部ダクト１２の水平姿勢の調整が容易に行える。
【００２７】
次に、図４に示すように、第１チェーンブロック７を伸ばして、第１チェーンブロック７側の下半部ダクト１２を下降させる。図４に、下半部ダクト１２の下降方向を矢印で示す。この際、第１チェーンブロック７側の下半部ダクト１２が床１５と接触するおそれがある場合には、第２チェーンブロック１１を縮めて、下半部ダクト１２の吊り上げ高さを高くする。なお、第２チェーンブロック１１を縮める代わりに、クレーン２を巻き上げてもよい。
【００２８】
次に、図５に示すように、第１チェーンブロック７をさらに伸ばして、第１チェーンブロック７側の下半部ダクト１２をさらに下降させる。図５に、下半部ダクト１２の下降方向を矢印で示す。
【００２９】
次に、図６に示すように、第１チェーンブロック７を下半部ダクト１２から外す。
【００３０】
次に、図７に示すように、クレーン２を操作して下半部ダクト１２をローター１６の下方まで移動させた後、下半部ダクト１２に第１チェーンブロック７を、第４ワイヤーロープ１０および第６ワイヤーロープ１４を介して掛ける。
【００３１】
次に、図８に示すように、第１チェーンブロック７を縮めて、第１チェーンブロック７側の下半部ダクト１２を上昇させる。
【００３２】
次に、図９に示すように、第１チェーンブロック７をさらに縮めて第１チェーンブロック７側の下半部ダクト１２をさらに上昇させて、下半部ダクト１２の姿勢をローター１６の下方において水平にする。
【００３３】
そして、図１０に示すように、クレーン２を操作して下半部ダクト１２を上昇させ、下半部ダクト１２をローター１６に据え付ける。
【００３４】
このようにして、下半部ダクト１２をローター１６に据え付けることができる。
【００３５】
以上説明したように、この発明によれば、火力発電設備におけるガスタービン用の上下二分割された円錐形状のダクトの下半部ダクト１２を床１５に仮置きすることなく、吊り上げたままの状態で容易かつ確実にローター１６に据え付けることができる。
【００３６】
また、この発明によれば、狭隘な作業場所であっても下半部ダクト１２の据え付けが行なえる。
【００３７】
また、この発明によれば、下半部ダクト１２を床１５に仮置きする必要がないので、仮置き用の仮設材等が不要となる。
【００３８】
また、この発明によれば、下半部ダクト１２を床１５に仮置きする必要がないので、下半部ダクト１２の転倒のおそれがない。
【００３９】
この発明によれば、下半部ダクト１２をローター１６をかわしながらローター１６に据え付けることができる。
【符号の説明】
【００４０】
１：天秤棒
２：クレーン
３：第１滑車
４：第２滑車
５：第１ワイヤーロープ
６：吊り具
７：第１チェーンブロック
８：第２ワイヤーロープ
９：第３ワイヤーロープ
１０：第４ワイヤーロープ
１１：第２チェーンブロック
１２：下半部ダクト
１３：第５ワイヤーロープ
１４：第６ワイヤーロープ
１５：床
１６：ローター
２１：フック
２２：滑車
２３：滑車
２４：天秤棒
２５：ワイヤーロープ
２６：バランスウエイト
２７：シャックル
２８：ワイヤーロープ
２９：吊り荷
【図１】
2019177965.tif 000003
【図２】
2019177965.tif 000004
【図３】
2019177965.tif 000005
【図４】
2019177965.tif 000006
【図５】
2019177965.tif 000007
【図６】
2019177965.tif 000008
【図７】
2019177965.tif 000009
【図８】
2019177965.tif 000010
【図９】
2019177965.tif 000011
【図１０】
2019177965.tif 000012
【図１１】
2019177965.tif 000013